Podtech/llm-jp-corpus-v4-ja_patent huggingface dataset:
(57)【要約】      （修正有）【課題】外反母趾及び内反小指に効果的であると同時に、横方向アーチが自然に形成でき、足指を使って安定した歩行ができ、又、歩行時バンドが回転してずれることを防止できる外反母趾及び内反小指矯正用サポータを提供する。【解決手段】外反母趾及び内反小指矯正用サポータは、足の外反母趾突出部を小指側に押圧し、内反小指突出部を親指側に押圧する足の略前半部を巻回するバンド１の上縁に、親指４と第２指５間及び第４指７と小指８間に弾性部材（パット）６、９を挿入し、親指４及び小指８を外方に拡げるようにする。【選択図】図２
0003203212.tif 000002
【実用新案登録請求の範囲】
【請求項１】
足の外反母趾突出部を小指側に押圧し、内反小指突出部を親指側に押圧する足の略前半部を巻回するバンドの上縁に、親指と第２指間及び第４指と小指間に弾性部材を挿入し、親指及び小指を外方に拡げるようにした外反母趾及び内反小指矯正用サポータ。
【考案の詳細な説明】
【技術分野】
【０００１】
本考案は、外反母趾及び内反小指を同時に矯正するサポータに関する。
【背景技術】
【０００２】
本出願人は先に図６に示すように、親指１１と第２指１２間に挿入するパット１３を環状のバンド１４上縁に一体に取り付けた外反母趾用サポータ（例えば、特許文献１、特許文献２参照）を考案している。
【先行技術文献】
【特許文献】
【０００３】
【特許文献１】登録実用新案第２０９７１１５号
【特許文献２】登録実用新案第２１１１０８１号
【考案の概要】
【考案が解決しようとする課題】
【０００４】
上記従来技術は、親指１１と第２指１２の間にのみパット１３を挿入するようになっているので、親指１１は開くので外反母趾には効果的であるが、図７に示すように内反小指３は開かないので内反小指を改善する効果はなかった。又、足裏の略中央部巾方向に形成される横方向アーチが図９のようにできなくなり、足指を使って歩く作用が弱くなるという問題点があった。
【課題を解決するための手段】
【０００５】
本考案は上記問題点を解決することを目的とし、足の外反母趾突出部を小指側に押圧し、内反小指突出部を親指側に押圧する足の略前半部を巻回するバンドの上縁に、親指と第２指間及び第４指と小指間に弾性部材を挿入し、親指及び小指を外方に拡げるようにしたことを特徴とする。
【考案の効果】
【０００６】
本考案は、足の外反母趾突出部を小指側に押圧し、内反小指突出部を親指側に押圧する足の略前半部を巻回するバンドの上縁に、親指と第２指間及び第４指と小指間に弾性部材を挿入し、親指及び小指を外方に拡げるようにしてあるので、外反母趾及び内反小指に効果的であると同時に、図４、図５のように横方向アーチ１０が自然に形成でき、足指を使って安定した歩行ができ、又、歩行時バンドが回転してずれることを防止できる。
【図面の簡単な説明】
【０００７】
【図１】本考案の一実施例で外反母趾及び内反小指矯正用サポータの両足分外観斜視図である。
【図２】図１のサポータを両足先に挿入した外観斜視図である。
【図３】図１の平面図である。
【図４】図３の足裏に横方向アーチが形成される説明図である。
【図５】図４の正面斜視図である。
【図６】従来のサポータを足に挿入した時の平面図である。
【図７】外反母趾及び内反小指が生じている足の外観斜視図である。
【図８】図７の足裏に逆アーチが形成され、横アーチが消失した時の説明図である。
【図９】足裏の横方向アーチが消失した時の足裏の外観斜視図である。
【考案を実施するための形態】
【０００８】
本考案の実施の形態は図１から図５に示した一実施例に基づいて詳細に説明する。
１は図７の外反母趾突出部２を巾方向に押圧し、内反小指突出部３を内方に押圧する足の略前半部に巻回するバンドで、親指４と第２指５との間に挿入する弾性部材６及び第４指７と小指８との間に挿入する弾性部材９を上縁に一体に取り付けてある。なお、環状のバンドの代りに帯バンドをベルベットファスナーで環状にしてもよい。
【実施例１】
【０００９】
本考案は、外方に出っ張った外反母趾部及び内反小指部を締め付けると、曲がっていた夫々の指が正常な位置に近づき、さらに親指４と第２指５及び第４指７と小指８の間に弾性部材が挿入されているので、図４に示すように、親指及び小指のみが確実に外方へ開き、図４、図５のように、横方向アーチ１０が自然に形成され足指を使って安定した歩行ができ、又、歩行時バンド１が回転してずれることを防止できる。
つまり本考案は、外反母趾と内反小指を同時に矯正するようにしたことを目的とし、親指４と小指８が開くと、その結果、横方向アーチ１０が自然に形成されるようにした点に特徴があるものである。
さらに具体的に説明すると、１は第１指（親指）４の第１関節部分を正常位置に、第４指７の第４関節部分と、第５指（小指）８の第５関節部分を正常に固定するため、親指４から小指８全体を共に巻き包む布製の関節固定用バンド１である。この関節固定用バンド１は、環状に構成されており、親指４と第２指５の間に設けた親指４と第２指間のパット６と、第４指７と小指８の間に設けた第４指と小指間のパット９を設けたものであり、図２、図３に示すように装着するものである。
そして図４に示すように、本考案の外反母趾及び内反小指矯正サポータを装着すると、矢印のように作用して横方向アーチが形成されるものである。
【産業上の利用可能性】
【００１０】
サポータだけに限られるものではなく、靴下等にも利用することができる。
【符号の説明】
【００１１】
１    バンド
２    外反母趾の突出部
３    内反小指の突出部
４，１１    親指
５，１２    第２指
６    親指と第２指間のパット
７    第４指
８    小指
９    第４指と小指間のパット
１０    横方向アーチ
【図１】
0003203212.tif 000003
【図２】
0003203212.tif 000004
【図３】
0003203212.tif 000005
【図４】
0003203212.tif 000006
【図５】
0003203212.tif 000007
【図６】
0003203212.tif 000008
【図７】
0003203212.tif 000009
【図８】
0003203212.tif 000010
【図９】
0003203212.tif 000011
(57)【要約】      （修正有）【課題】車両が運転技術上必要とされる法定環境照度基準以下の照度値を感知したときに、車両の灯火を自動的に点灯する装置を提供する。【解決手段】装置は、エンジンの起動中に車両の運転技術上要求される環境照度が法定照度基準値以下になったことを照度計が感知した時に車載電源によりフォトスイッチを起動させ車両の灯火を自動的に点灯させる。【選択図】図１
0003203217.tif 000002
【実用新案登録請求の範囲】
【請求項１】
本考案は、エンジン起動中の車両で環境照度が車両の運転技術上要求される法定照度基準値以下になったことを照度計が感知した時に車載電源によりフォトスイッチを起動させ車両の灯火を自動的に点灯させる装置に関するものである。
【考案の詳細な説明】
【技術分野】
【０００１】
エンジンを起動中の車両で、車両が運転技術上必要とされる法定環境照度基準以下の照度値を感知した時に、車両の灯火を自動的に点灯する装置。
【背景技術】
【０００２】
道路交通法第52条の規定 「車両等は、夜間（日没時から日出時までの時間をいう。以下この条及び第63条の９第2項において同じ。）、道路にあるときは、政令で定めるところにより、前照灯、車幅灯、尾灯その他の灯火をつけなければならない。政令で定める場合においては、夜間以外にあっても、同様とする。」 を受け、現用の車両では、トンネル等で点灯の特別の指示がなければ、環境照度に関わらず運転手が自己の感覚でスイッチを操作し車両の灯火を点灯しており、薄明時や天候、気象の変化や山間等の地形変化などによる環境の照度変化に遭遇しても運転手の意思がなければ車両の灯火を点灯することはない。このために、薄明時など環境照度が低下しても灯火を点灯することなく走行する車両があり、これが原因で車両走行中の交通事故発生に繋がることが多い。交通事故防止のために、車両にあっては薄明時等における早期の適切な灯火の点灯が望まれる。
【考案の概要】
【考案が解決しようとする課題】
【０００３】
南北3,000キロに及ぶ日本列島で地理や季節などに起因する照度変動要因により日没時前後の環境の明るさの変化の仕方は北と南、東と西で異なる。このため、車両の灯火の点灯時刻を日本標準時に画一的に固定することは容易でなく、便宜的に各地の日没時刻に固定している。しかし、実務上、灯火の点灯時期は車両の運転手の判断に任せられており、さらに夕刻や昼間の天候変化などによる薄明時間帯があることから、車両の灯火点灯時刻は各車両で画一的ではなく、薄明時に灯火を点灯せずに走行する車両も多く、薄明時の交通事故が多く発生している。
【課題を解決するための手段】
【０００４】
薄明時を中心とする時刻帯での交通事故防止を図るために、車両の運転技術上要求される明るさの値を法定照度基準値として、環境照度が同基準値以下になった時に車両の灯火を自動的に点灯させることが必要である。このため、照度計とフォトスイッチを車載電源と灯火の間に設置し、環境照度が法定照度基準値以下になったことを照度計が感知した時に車載電源に連動するフォトスイッチが車両の灯火を自動点灯する構造をここに提案する。
【考案の効果】
【０００５】
季節や天候、地形、運転手の視覚などの影響を受けることなく、車両の運転に要求される法定環境照度基準値に合わせ車両の灯火が自動点火することから、本装置を採用することにより薄明時に運転手の視認間違いや通行人や他車両による車両の誤認などに起因する交通事故発生が減少する、と同時に運転手の視覚や精神的負担を軽減することが期待できる。
【図面の簡単な説明】
【０００６】
【図１】は、提案と現行のシステムを対比するもので、提案では環境照度を測定する照度計とそれに連動するフォトスイッチにより自動的に車両の灯火を点灯させる機器の動作の流れを模式する。
【考案を実施するための形態】
【０００７】
本装置は、車載電源の供給を受けながら他物に遮蔽されない形で車両外側上部に設置された照度計が測定する環境照度によりフォトスイッチを作動させ車両の灯火を点灯させるもので、形状は小型にして取り付けは容易で、形態として車両構造に負担となるものではない。
【実施例】
【０００８】
車両の点灯が薄明時の事故防止に効果があることから、1977年のスウェーデンに続き、アイスランド、イスラエル、カナダ、スイス、スロヴェニア（冬季）、デンマーク、ノルウェー、ハンガリー（市街地外でのみ）、フィンランド、ポーランド（冬季）などの諸国で、エンジン始動とともに前照灯又は全外部灯火の昼間点灯が義務づけられている。日本で、「オートバイは走行時に消灯できない構造であること」と1998年に保安基準において定めらているが、薄明時の車両の灯火の点灯については規定がない。
【産業上の利用可能性】
【０００９】
事故の発生防止が第一目的であるが、日本国内で生産使用される年間約1,000万台の車両等が本提案の装置を採用することにより、照度計やフォトスイッチ、電球など車両付随器具の生産者及びそれらの装備業者への産業上の裨益効果は計り知れない。同時に、運転手の視覚・精神的負担の軽減が期待できることから運転手の健康管理が容易となることも産業振興に寄与できる。
【図１】
0003203217.tif 000003
(57)【要約】      （修正有）【課題】持ち運びが容易になり、芯が折れることや、持ち運びの際芯が触れて汚したりすることを防ぐことができる小型筆記具を提供する。【解決手段】鉛筆芯２を形成した鉛筆軸３を、本体筒状ケース７、１０、の中央部に嵌め、本体筒状ケース７、１０、の外周に鉛筆軸３とアーム６で連結した押出し部４を外部に設け、本体筒状ケース７の略前方と鉛筆軸３の略前方に筆記時の押圧戻りの止部凸部５凹部９を設け、芯出し筆記安定の構成と、鉛筆芯２のケース収納時には、鉛筆芯と押出し部を連結したアーム６が、本体ケースの先細り溝部８、１１で静止する短長自在な小型筆記具を構成している。【選択図】図５
0003203536.tif 000002
【実用新案登録請求の範囲】
【請求項１】
鉛筆芯２を形成した鉛筆軸を、本体ケースの中央部に嵌め、前記本体ケースの外周に鉛筆軸とアーム連結した押出し部を設け、前記本体ケースの略前方と鉛筆軸の略前方に押出し止部を設け、鉛筆芯をケース内収納時には、鉛筆軸と押出し部を連結したアームが、前記本体ケースの先細り溝に横圧され静止することを特徴とする小型筆記具。
【考案の詳細な説明】
【技術分野】
【０００１】
本考案は、文字や絵を書くために使用される筆記用具に関する。
【背景技術】
【０００２】
筆記用具は、一般に文字や絵を書くために使用されている。
【０００３】
しかしながら、従来の筆記用具は長すぎて持歩くには不便という欠点があった。
【０００４】
また、従来技術で筆記用具を小型化で、携帯に便利な書きやすいカード型筆記具がある（例えば、特許文献１参照）。カードサイズの台紙１に切りカキ２をもうけ、そこに鉛筆
やボールペンの芯をペンシルとして接合した構造とし、台紙を折って使用する。
【先行技術文献】
【特許文献】
【０００５】
【特許文献１】実開平０６−４６９７７号公報
【考案の概要】
【考案が解決しようとする課題】
【０００６】
従来の筆記用具は次のような解決すべき課題があった。
１．鉛筆の芯がむき出しのため芯が折れる事がある。
２．鉛筆の芯がむき出しのため持ち運びの際芯が触れて汚れる。
３．鉛筆の従来のサイズでは持ち運びが不便であった。
【課題を解決するための手段】
【０００７】
本考案は以上の点を解決するために、次のような構成を採用する。
鉛筆芯２を形成した鉛筆軸３を、本体ケース７、１０、の中央部に嵌め、前記本体ケース７、１０、の外周に鉛筆軸３とアーム６連結した押出し部４を設け、前記本体ケース７の略前方と鉛筆軸３の略前方に押出し止部５を設け、鉛筆芯２をケース７、１０、内収納時には、鉛筆軸３と押出し部４を連結したアーム６が、前記本体ケース７、１０、の先細り溝８、１１、に横圧され静止する構成要件とで小型筆記具１を構成している。
【考案の効果】
【０００８】
以上の説明から明らかなように、本考案にあっては次に列挙する効果が得られる。
鉛筆芯２を本体ケース７、１０、の中央部に収納構成されているので、下記の効果ができ
る。
１．鉛筆の芯を本体ケースに納める事で、鉛筆芯が保護され折れる事を防ぐ。
２．鉛筆の芯を本体ケースに納める事で、鉛筆芯が触れて汚れる事を防ぐ。
３．鉛筆の芯を本体ケースに納める事で、小型になり持ち運びが容易になる。
４．各部品が安価に成型でき、組立も容易にできる。
【図面の簡単な説明】
【０００９】
【図１】本考案の筆記具の斜視図を示す。
【図２】筆記具の部品組立説明縦断面図である。
【図３】筆記具の縦断面図で鉛筆芯収納姿である。
【図４】図３Ａ矢視断面図である。
【図５】筆記具の縦断面図で、鉛筆芯をだし、筆記ができる姿である。
【考案を実施するための形態】
【００１０】
以下、本考案の実施の形態を図に基づいて説明する。
【実施例１】
【００１１】
図１は、本考案の筆記具の実施例１の斜視図であって、形状姿である。
【００１２】
図２は、筆記具の部品組立説明図で、前部筒状ケース７後部筒状ケース１０二体の成型と、鉛筆軸部３を嵌め合いで下記のように構成される。
前部筒状ケース７に先細り溝部８、後部筒状ケース９に先細り溝部１１を形成している、前部筒状ケース７の先細り溝部８に、鉛筆軸部３とアーム６で連結一体成型の外周押出し部４を差込み、次に、後部筒状ケース１０の先細り溝部１１と前部筒状ケース７の先細り溝部８を嵌め合せ組込み完了する。
【００１３】
図３は、図１筆記具の縦断面図で、前部、後部、筒状ケース７、１０、に嵌めた外周押出し部４を引いて、筒状ケース７、１０、内に鉛筆芯２を納めた姿である。
【００１４】
図４は、図３Ａ矢視の断面図で、前部、後部、筒状ケース７，１０、に鉛筆軸部３を嵌め、押出し部４を筒状ケースの外部に形成し、鉛筆芯２を容易に出し入れが可能となる。
【００１５】
図５は、筆記ができる姿断面図で、図２の筒状ケース７、１０、に納めた鉛筆芯２を、前部、後部、筒状ケース７、１０、の外周に押出し部４を前方に押スライドさせて鉛筆芯２を押出し筆記ができる姿である。前部筒状ケース７、１０、より鉛筆軸３を押出し、筆記時の押圧戻りの止部凸５凹９を設けたことを特徴とする。
【００１６】
その構成は、前部、後部、筒状ケース７、１０、より鉛筆軸部３を押出したとき、鉛筆軸部３に設けた押圧戻りの止部凸部５が、前部筒状ケース１０の凹部９に嵌め合い、押圧戻りを静止するものである。
【００１７】
以上の筆記具は次のようにして使用する。
筆記具の外周押出し部４を前方にスライドさせて、筒状ケース７、１０、より鉛筆芯２をだして文字等を書く。
【００１８】
尚、筒状ケース７、１０、は、その形状や長さは自由である。
鉛筆芯は、黒い芯だけでなく、赤や青の色鉛筆を用いても良い。
後部筒状ケース１０の端に消しゴムを用いても良い。
【符号の説明】
【００１９】
１      筆記具
２      鉛筆芯
３      鉛筆軸部
４      外周の押出し部
５      押圧戻りの止部凸部
６      アーム
７      前部筒状ケース
８      先細り溝部
９      押圧戻りの止部凹部
１０    後部筒状ケース
１１    先細り溝部
【図１】
0003203536.tif 000003
【図２】
0003203536.tif 000004
【図３】
0003203536.tif 000005
【図４】
0003203536.tif 000006
【図５】
0003203536.tif 000007
(57)【要約】      （修正有）【課題】リュックサックを背負ったまま、ピッケルまたはストックの収納や取り出しを可能とするピッケルホルダーを提供する。【解決手段】リュックサック７の肩紐６に本装置を取り付けた状態において、リュックサック７を背負ったまま、ピッケル１０またはストック８を収納するには、ピッケル１０やストック８のシャフトを保持する機能を持ち、かつ上下にスイングするシャフトキャッチャー１、９を持ち上げて、シャフトキャッチャー１、９にピッケル１０またはストック８を挿入し、そのまま下ろせばピッケル１０またはストック８はシャフトキャッチャー１、９とともに、シャフトキャッチャー１、９を保持する機能を持つプレートガイド３の溝により固定される。取り出しの場合は、この逆の動作を行う。【選択図】図１
0003203577.tif 000002
【実用新案登録請求の範囲】
【請求項１】
リュックサックに装着されるピッケルホルダーにおいて、肩紐部分に取り付けて使用するもので、ピッケルまたはストックの保持部分が上下にスイングする機構を備えたことにより、リュックサックを背負ったままでも該保持部分に手が届くことを特徴とするピッケルホルダー。
【考案の詳細な説明】
【技術分野】
【０００１】
本考案は、リュックサックを背負ったままで、ピッケルやストックをリュックサックに収納したり、取り出したりできるピッケルホルダーに関するものである。
【背景技術】
【０００２】
実用されているピッケルホルダーは、リュックサックの正面や側面に紐やベルトで固定するものであって、ピッケルやストックの収納や取り出しのたびにリュックサックを下さなければならず煩雑であり、足場の不安定な場所での作業には安全性に問題がある。
【先行技術文献】
【特許文献】
【０００３】
【特許文献１】実願  2012-4211
【特許文献２】実願  2012-4461
【考案の概要】
【考案が解決しようとする課題】
【０００４】
解決しようとする問題点は、ピッケルやストックをリュックサックに収納したり取り出したりするたびに、リュックサックを下ろして作業を行わなければならない点である。
【課題を解決するための手段】
【０００５】
本考案は、リュックサックを背負ったままで、素早いピッケルやストックの収納や取り出しを可能にするため、ピッケルやストックの保持部分を上下にスイングする機構とし、リュックサックの肩紐部分に取り付けて使用することを最も主要な特徴とする。
【考案の効果】
【０００６】
本考案のピッケルホルダーは、リュックサックを背負ったままで、素早くピッケルやストックの収納や取り出しができるので、安全で円滑な登山が可能となる。
【図面の簡単な説明】
【０００７】
【図１】図1は、ピッケルホルダーの構成と、リュックサックへの取り付けを示した説明図である。
【図２】図2は、ピッケルホルダーへのピッケルの収納工程を示した説明図である。
【図３】図3は、ピッケルホルダーへの収納完了状態を正面から示した説明図である。
【図４】図4は、ピッケルホルダーへの収納完了状態を側面から示した説明図である。
【考案を実施するための形態】
【０００８】
リュックサックを背負ったままで、ピッケルやストックの収納や取り出しを行うという目的を、ピッケルやストックの保持部分を上下にスイングする機構とし、リュックサックの肩紐部分に取り付けることにより解決した。
【実施例】
【０００９】
図１は、本考案装置であるピッケルホルダーの1実施例の見取り図であって、本考案装置の構成とリュックサックへの取り付け方法を示したものである。
【００１０】
シャフトキャッチャー（筒型）1は、ピッケル10またはストック8を挿入し保持する部分で、スイングプレート2と一体になっており、その反対側を支点として上下にスイングすることができ、下がった状態ではプレートガイド3の溝により固定される。
【００１１】
固定ベルト4は、ピッケルホルダー本体を肩紐6またはトップストラップ6に固定するもので、留め具5または面ファスナー5によって、固定される。
【００１２】
シャフトキャッチャー（筒型）1は、シャフトキャッチャー（クリップ型）9でもよく、双方交換可能としてもよい。
【００１３】
図2は、ピッケル10の収納工程を説明したもので、シャフトキャッチャー1または9を持ち上げると、スイングプレート2も上がり、シャフトキャッチャー1または9にピッケル10またはストック8を挿入し、そのまま下ろせばスイングプレート2はプレートガイド3の溝に入り、その溝により固定され、収納が完了する。取り出しの場合は、この逆の動作を行う。
【００１４】
図3は、ピッケル10を収納完了した状態を、リュックサック正面より見た説明図であって、スイングプレート2はピッケル10のピックとともに、プレートガイド3の溝により固定される。
【００１５】
図4は、図3の状態を、側面から見た説明図であり、ピッケル10はスイングプレート2とともに、プレートガイド3の溝により固定されている。
【産業上の利用可能性】
【００１６】
登山やスキーツアー用のリュックサックに利用できる。特に難易度の高い登山用には利用価値が高い。
【符号の説明】
【００１７】
1  シャフトキャッチャー（筒型）
2  スイングプレート
3  プレートガイド
4  固定ベルト
5  留め具または面ファスナー
6  リュックサックの肩紐またはトッププルストラップ
7  リュックサック
8  ストック
9  シャフトキャッチャー（クリップ型）
10  ピッケル
【図１】
0003203577.tif 000003
【図２】
0003203577.tif 000004
【図３】
0003203577.tif 000005
【図４】
0003203577.tif 000006
(57)【要約】  前輪と後輪、及びボードで構成されるスケートボードにおいて、乗り手が地面に足を着けることなく、乗り手の体重の上下移動により、前進することを可能とするスケートボードを提供する。後輪の車軸を車輪の中心から離れた位置に取り付けることにより、ボードの上下の揺れを作り出し、乗り手が体重を上下に、このボードの上下の揺れに同期させながら、移動することにより、ボードが繰り返し押し下げられて、跳ね返ることによって前進することを可能とした。
0003203512.tif 000002
【実用新案登録請求の範囲】
【請求項１】
前輪と後輪、及びボードで構成されるスケートボードにおいて、後輪の車軸が車輪の中心から離れた位置に取り付けられた構造を有する自走式スケートボード。
【考案の詳細な説明】
【技術分野】
【０００１】
本発明は、前輪と後輪、及び両足が載るボードで構成されたスケートボードに関するものである。
【従来の技術】
【０００２】
従来の自走式の前輪と後輪、及びボードで構成されるスケートボードにおいては、連結した二枚の板それぞれに自在車輪を持つキャスターボードのように、体を左右に振り、前輪を左右交互に振って進むようになっている。しかしながら、このような構造では、スケートボードを持続的に力強く前進させることは困難であるとういう問題がある。  
【先行技術文献】
【特許文献】
【０００３】
【特許文献１】特許公表２０１１−５１２１７９
【考案の概要】
【考案が解決しようとする課題】
【０００４】
本発明は、このような課題を解決するもので、乗り手が足を地面に着けることなく、乗り手の体重の上下移動という、より自然で力強く持続性がある動きをスケートボードの前方への推進力に変えることを目的とするものである。
【課題を解決するための手段】
【０００５】
添付の図面の図３はこのスケートボードの後輪２の３−３の拡大したスケールの縦断面である。本来、車輪の中心にあるべき車軸１を中心から離れた位置に取り付けることにより、ボード４の上下の揺れを作り出し、以下に述べる動作を乗り手が行うことにより、乗り手が足を地面に着けることなく前進することを要旨とするものである。【０００６】
図１に示されるように、後輪２の車軸１が地面から最も離れたポジションから、乗り手が体をやや前方に保ちながら、力強く体重を下方に移す事により、ボード４が押し下げられ、車軸１が前下方に動き、車輪が回転し、車軸１が地面から最も近い図２のポジションになる。その際生じる慣性による跳ね返りに従って、乗り手が体重を上方に力強く移すことにより、図１のポジションに戻る。乗り手がこの運動をボード４の上下の揺れに同期させながら、連続して行うことにより、このスケートボードは前方への推進力を得る。
【考案の効果】
【０００７】
従来のスケートボードに見られる速く滑らかな走行性を目指すのではなく、構造を複雑にすることなく、乗り手がより自然に体全体を使い、楽しく短時間で高い運動量を得られる為に、遊具としてはもちろん、ダイエット器具としても使用できるという利点がある。
【図面の簡単な説明】
【０００８】
【図１】同スケートボードの側面図である。
【図２】同スケートボードの側面図である。
【図３】同スケートボードの後輪２の３−３の拡大したスケールの縦断面である。
【図４】発明の実施の形態における同スケートボードの全体斜視図である。
【考案を実施するための形態】
【０００９】
乗り手が体重を上下移動させることにより、足を地面に着けることなく前方に推進するという目的を、構造を複雑にすることなく実現した。
【実施例１】
【００１０】
前輪６と後輪２、及びボード４があり、後輪２の車輪の中心から外れた所を貫く車軸１がある。【００１１】
図２の車軸１が地面から最も近いポジションにある時、ボード４が地面と平行になるように、後輪２の直径は、前輪６の直径よりも大きくなる。【００１２】
後輪２の直径が大きいほど乗り手の運動量は増加する。【００１３】
ボード４に弾性カーボンなどの弾性素材を用いることにより、地面からの衝撃を吸収し、その反発力を利用することにより、より効率的に走行することが出来る。【００１４】
バンパー５を取り付けることにより本体、及び対象物を保護する。【００１５】
前輪６と後輪２に、それぞれタイヤ８とタイヤ３が取り付けられている。【００１６】
前輪６は、車軸７が車輪の中心を貫く通常の車輪である。【００１７】
前輪６の車軸７、後輪２の車軸１は、それぞれボード４に固定されている。
【符号の説明】
【００１８】
１    後輪の車軸
２    後輪
３    後輪のタイヤ
４    ボード
５    バンパー
６    前輪
７    前輪の車軸
８    前輪のタイヤ
【図１】
0003203512.tif 000003
【図２】
0003203512.tif 000004
【図３】
0003203512.tif 000005
【図４】
0003203512.tif 000006
(57)【要約】      （修正有）【課題】雨降りの時に濡れている傘を持っていると、手が濡れて気持ち悪かったのを防止することができるカバーキャップを提供する。【解決手段】円筒状のキャップ１と傘３のカバー２とを有し、傘３の先を円筒状のキャップ１の穴に差し込むことにより、傘３をカバー２に入れられるようにする。【選択図】図１
0003203515.tif 000002
【実用新案登録請求の範囲】
傘の先にキャップをはめ付けキャップの中にカーバを入れこむ物である
【考案の詳細な説明】
【考案の概用】
【考案が解決しようとする課題】
【０００１】傘のぬれをふせぐためのカーバーキャップで傘をしまった時にキャップの中に入れる、傘がぬれた時はキャップから引き出しカーバをする。
【考案の効果】
ぬれた傘をカーバをすることによって、ぬれないで手か気持ち良い
【図面の簡単な説明】傘にカーバーをした時の図面である
【符号の説明】傘▲３▼
ビニール▲２▼
キャップ▲１▼
【図１】
0003203515.tif 000003
【図２】
0003203515.tif 000004
【手続補正書】
【提出日】平成27年10月20日(2015.10.20)
【手続補正１】
【補正対象書類名】実用新案登録請求の範囲
【補正対象項目名】全文
【補正方法】変更
【補正の内容】
【実用新案登録請求の範囲】
【請求項１】
キャップ円筒状の端に穴が開いている所に傘の先を差し込こんでカバーを収納するカバーキャップ
【手続補正３】
【補正対象書類名】明細書
【補正対象項目名】全文
【補正方法】変更
【補正の内容】
【考案の詳細な説明】
【考案の概要】
【考案が解決しようとする課題】
【０００１】本考案は雨が降った時に傘を畳んだ時に手や他人に水が付いて迷惑をかけた
【課題を解決するための手段】
【０００２】畳んだ傘の先端に筒状のキャップの底の穴に入れる
【考案の効果】
【０００３】傘が濡れているのを持っていると、手が濡れて気持ち悪かったのを防止する為。傘にカバーをすることで手が濡れなくなり、他人に迷惑を掛けない。
【図面の簡単な説明】
【０００４】
【図１】図１は筒状のカバー▲２▼の中に片方に傘▲３▼を入れ、傘の先にキャップ▲１▼を取り付けた図である。キャップ▲１▼の中にカバー▲２▼をキャップ▲１▼の所に下げて収納する。
【図２】図２はキャップは円状の片方に穴が開いている所を先を差し込んだ状態の拡大図である。
【符号の説明】
【０００５】傘▲３▼
ビニール▲２▼
キャップ▲１▼
【手続補正書】
【提出日】平成27年12月21日(2015.12.21)
【手続補正１】
【補正対象書類名】実用新案登録請求の範囲
【補正対象項目名】全文
【補正方法】変更
【補正の内容】
【実用新案登録請求の範囲】
【請求項１】
円筒状のキャップと傘のカバーとを有し、傘の先を円筒状のキャップの穴に差し込むことにより、傘をカバーに入れられるようにしたことを特徴とするカバーキャップ。
(57)【要約】      （修正有）【課題】他人の目を気にすることなく、いつでも使用することができ、簡易で携帯に優れた鼻詰まり解消パッドを提供する。【解決手段】一対の略半球体からなる弾性部材３と、弾性部材と複数の面ファスナー５を介して各々着脱可能に取り付けられる吸水性部材２と、からなり、吸水性部材は、略半月形状に形成された布部材からなり、人体の脇部からの汗を吸収すると共に、弾性部材による脇部の加圧によって鼻詰まりを解消する。【選択図】図６
0003203519.tif 000002
【実用新案登録請求の範囲】
【請求項１】
一対の略半球体からなる弾性部材と、該弾性部材と複数の面ファスナーを介して各々着脱可能に取り付けられる吸水性部材と、からなる鼻詰まり解消パッド。
【請求項２】
前記半球体からなる弾性部材は、布材によって包含されると共に、前記半球体の平面部同士を対向して連結部材によって一端が連結されたことを特徴とする請求項１に記載の鼻詰まり解消パッド。
【請求項３】
前記吸水性部材は、略半月形状に形成された布部材からなり、人体の脇部からの汗を吸収することを、特徴とする請求項１に記載の鼻詰まり解消パッド。
【考案の詳細な説明】
【技術分野】
【０００１】    本考案は、鼻炎の症状である鼻詰まり等の諸症状を緩和する簡易な冶具に関する。
【背景技術】
【０００２】    近年、花粉やハウスダスト、ダニ等の各種の原因物質によって発症する鼻炎によって苦しむ患者が増加している。これらの鼻炎を症状を軽減する技術としては、居住空間から原因物質を除去する技術や、原因物質を鼻からの吸引を防止する技術、が提案されている。さらに、日常生活において、鼻腟を圧迫及び開放して、鼻腟の粘膜を刺激して鼻炎の諸症状を緩和又は治療する鼻炎治療具も提案されている（特許文献１参照）。
【先行技術文献】
【特許文献】
【０００３】
【特許文献１】特開２００１−１７５００号公報
【考案の概要】
【考案が解決しようとする課題】
【０００４】  しかしながら、上記の原因物質を除去する技術や、鼻からの吸引を防止する技術は、専ら鼻炎を予防することを目的としており、一旦鼻炎に罹患した後に、鼻炎の諸症状を緩和又は治療する技術ではなかった。さらに、上記特許文献１に開示された技術は自宅においても外出先でも、随時治療を実施できるものであるが、駆動装置や電源装置などの付帯装置を必要とし、また他人の目を気にする女性が使用するには抵抗があるものであった。【０００５】  本考案は、上記課題を解決することを目的としており、脇部を圧迫することによって、鼻詰まりが解消できるという知見から、他人の目を気にすることなく、いつでも使用することができ、簡易で携帯に優れた鼻詰まり解消パッドを提供することを目的とする。
【課題を解決するための手段】
【０００６】  上述した課題を解決するために、本発明においては、一対の略半球体からなる弾性部材と、該弾性部材と複数の面ファスナーを介して各々着脱可能に取り付けられる吸水性部材と、からなることを特徴とする。【０００７】  また、前記半球体からなる弾性部材は、布材によって包含されると共に、前記半球体の平面部同士を対向して連結部材によって一端が連結されたことを特徴とする。【０００８】  そして、前記吸水性部材は、略半月形状に形成された布部材からなり、人体の脇部からの汗を吸することを特徴とする。
【考案の効果】
【０００９】  本考案による鼻詰まり解消パッドによれば、人体の脇部の挟んで状態で保持することができ、適度の弾性をもって加圧することで鼻詰まりを解消することができる。【００１０】  また、半球体の平面部同士を対向して連結部材によって一端が連結されており、脇部に取り付けれる際に、Ｔシャツの袖口を挟んで取り付けることができ、装着した状態で加圧することで鼻詰まりを解消することができる。【００１１】  そして、吸水性部材は、略半月形状に形成された布部材からなり、加圧中の発汗を吸収できる。
【図面の簡単な説明】
【００１２】
【図１】本考案の鼻詰まり解消パッドの一実施例を示す平面図である。
【図２】図１の正面図である。
【図３】図１の側面図である。
【図４】図１の底面図である。
【図５】図４のＡ−Ａ腺断面図である。
【図６】本考案の鼻詰まり解消パッドの斜視図である。
【図７】本考案の鼻詰まり解消パッドの使用状態図である。
【考案を実施するための形態】
【００１３】  以下、本考案の鼻詰まり解消パッドを図面に従って説明するが、本考案は、以下の実施例に限定されるものではない。
【実施例】
【００１４】  図１乃至図４は、本考案の鼻詰まり解消パッドの一実施例を示しており、図１は平面図、図２は正面図、図３は側面図、図４は底面図をそれぞれ示している。図において、１は鼻詰まり解消パッドを示しており、２は吸水性部材を、３は弾性部材を示し、弾性部材３は連結部材４を介して、折り曲げ可能に連結され、複数の面ファスナー５が夫々対向して取り付けられている。【００１５】  吸水性部材２は、木綿や合成繊維からなる布等で形成されており、必要に応じて吸水性の合成樹脂や芳香剤が縫合される。また弾性部材３は一対の半球形状に成型された直径７０ｍｍのウレタン、ゴム、等のクッション材であり、後述する布材によって縫合されている。また、連結部材４は弾性部材３を連結できるものであれば特に限定されず、上記布材を補強する布材であってもかまわない。【００１６】  図５は、図４に示す鼻詰まり解消パッド１のＡ−Ａ腺断面図であり、６は弾性部材３の表面を覆う木綿や合成繊維からなる布材を示し、７は上述したウレタン、ゴム、等のクッション材を示し、８は吸水性部材２内に縫合された吸水性合成樹脂を示している。【００１７】  図６は、本考案の鼻詰まり解消パッド１の斜視図を示しており、図６（ｂ）は面ファスナーによる取り付け状態を示し、図６（ａ）は取り外した状態を示している。図に示すように、直径２０ｍｍの面ファスナー５が４枚、吸水部材２と弾性部材３に夫々両面テープ等によって取り付けられており、着脱が容易となってる。【００１８】  図７は、本考案の鼻詰まり解消パッド１を使用した状態を示す図であり、利用者の脇部に取り付けた上体を示している。図に示すように、利用者はアンダーシャツ等の袖口に弾性部材３を挟み、また脇部には吸水部材２が接触するようにセットする。この状態で腕と脇の間に鼻詰まり解消パッド１を固定することによって脇部を刺激し、鼻詰まりが解消される。
【符号の説明】
【００１９】１・・・鼻詰まり解消パッド
２・・・吸水部材
３・・・弾性部材
４・・・連結部材
５・・・面ファスナー
６・・・布材
７・・・クッション材
８・・・吸水性合成樹脂
【図７】
0003203519.tif 000003
【図１】
0003203519.tif 000004
【図２】
0003203519.tif 000005
【図３】
0003203519.tif 000006
【図４】
0003203519.tif 000007
【図５】
0003203519.tif 000008
【図６】
0003203519.tif 000009
(57)【要約】      （修正有）【課題】握力の低下した高齢者及び片手に障害のある者が微力の操作で入浴時身体を洗うことが出来るタオルを提供する。【解決手段】二重にした綿製品の感触の柔らかい生地を楕円形に裁断し、下部手入口を残し周囲を縫着し面一体のタオルを形成する。各指に装着し上下左右に安定した操作をするために、糸で止縫いを行う。手入口に収縮させるゴム紐を装着することにより容易に脱着が出来る。【選択図】図３
0003203516.tif 000002
【実用新案登録請求の範囲】
【考案の詳細な説明】
【技術分野】
【０００１】  本発明は、現在社会問題となっている高齢者介護師の労働負担となっている入浴作業の軽減を主とした用品開発に努めたものである。
施設入居者及びデーサービス利用者の中で、約６０％の方々は頭髪及び背中は介護師の手助けが必要とするが、その他の部分は独自で洗浄出来ると見られる。但し、現在市販されている規格の物では一部操作困難をきたす場合があるようだ。
この発明は、シャボン及び水分を含んだ重量を市販のタオルの４分の１に設定して開発した軽量タオルであり、実験の結果高齢者が使用に耐えうることが判明した。【０００２】  先願の中に同形の入浴用品があるが、全てミトン形の入浴手袋であるが、利用効果は薄いと考えられる。手袋形では肌に設置する部分は５本の指一部と手の平の一部のみである。【０００３】  上記の不足したものを解決するために、形状を楕円形一面体とすることにより全面が常時一体となり作動するので有効な入浴効果が得られる。
【図面の簡単な説明】
【０００４】
【図１】  裁断した一体図
【図２】  周囲の縫着した形成図
【図３】  指止め糸
【図４】  手入口と伸縮ゴム取付け
【図１】
0003203516.tif 000003
【図２】
0003203516.tif 000004
【図３】
0003203516.tif 000005
【図４】
0003203516.tif 000006
【手続補正書】
【提出日】平成27年9月28日(2015.9.28)
【手続補正１】
【補正対象書類名】実用新案登録請求の範囲
【補正対象項目名】全文
【補正方法】変更
【補正の内容】
【実用新案登録請求の範囲】
【請求項１】
二重にした布生地を楕円形に（図１）に裁断し、各指に装着出来るよう糸（図３）で止縫いした、入浴便利タオル。
【手続補正２】
【補正対象書類名】図面
【補正対象項目名】全図
【補正方法】変更
【補正の内容】
【図１】
0003203516.tif 000007
【図２】
0003203516.tif 000008
【図３】
0003203516.tif 000009
【図４】
0003203516.tif 000010
【手続補正３】
【補正対象書類名】明細書
【補正対象項目名】全文
【補正方法】変更
【補正の内容】
【考案の詳細な説明】
【技術分野】
【０００１】  本発明は、現在社会問題となっている高齢者介護師の労働負担となっている入浴補助の軽減を主とした用品の開発に努めたものである。  この発明は、一本のタオルに含まれる洗剤及び水分の総重量を市販のタオルの５分の１に設定して開発した軽量洗浄タオルであり、実験の結果全ての使用者が耐えうることが判明した。【０００２】  施設入居者及びディーサービス利用者の中で、頭髪及び背中の洗浄は介護師の手助けが必要とするが、使用するタオルの軽減を行なえば全ての部分は独自で洗浄が出来る（特に介護師が拒否する恥部は本人に於て処理させるべきである）
【実施例】
【０００３】  洗願の中に同形の用品があるが、全てミント形のため、タオル操作時指の一部が肌に接地するため効率が低下すると考えられる。  上記の不足を解決するために、形状を楕円形一面体しとしたことにより、接地部が常時一体となって作動するので有効な洗浄効果が得られる。
【図面の簡単な説明】
【０００４】
【図１】裁断した一体図
【図２】周囲を縫着した形成図
【図３】指止め糸
【図４】手入口と伸縮ゴム取付け部
【手続補正書】
【提出日】平成28年1月19日(2016.1.19)
【手続補正１】
【補正対象書類名】実用新案登録請求の範囲
【補正対象項目名】全文
【補正方法】変更
【補正の内容】
【実用新案登録請求の範囲】
【請求項１】
二重にした布生地を楕円形に裁断し各指に装着出来るよう糸で止縫いした入浴便利タオル。
(57)【要約】      （修正有）【課題】商店街街灯に吊下る旗のコストを１／５以下にして年間５回以上の掲示を可能にするパイプ付幟旗を提供する。【解決手段】吊金具Ｂ１、Ｂ２付パイプＡに、ノボリ本体の上辺に設けられたチチを通し、吊り金具にカラビナＦ１、Ｆ２を取付けた構造を有し、カラビナを街灯に付属する旗棒の吊輪に吊下げ可能とした。【選択図】図３
0003203520.tif 000002
【実用新案登録請求の範囲】
【請求項１】
商店街街灯に付属する旗棒に吊下げるパイプ付幟旗。
【考案の詳細な説明】
【技術分野】
【０００１】本考案は、商店街街灯の旗に関するものである。
【背景技術】
【０００２】考案者は過去１０年以上にわたり商店会役員（事業部長、会長）として商店街活性化のために街灯に旗を吊下げるべく尽力してきた。商店街ににぎわいとはためきをもたらす旗を、近年は安価になったノボリを街灯の旗用に利用して提供する。
【先行技術文献】
【特許文献】
【０００３】
【特許文献１】特開２０１０−０３２６８５号
【特許文献２】実開平０７−０４１５７６号
【非特許文献】
【０００４】
【非特許文献１】浜田山銀座商店会（メインロード）東京都杉並区  ｈｔｔｐ：／／ｗｗｗ．ｈａｍａｄａｙａｍａ．ｎｅｔ  公式ページ上にイベント毎に考案した旗を掲載。
【考案の概要】
【考案が解決しようとする課題】
【０００５】従来の街灯に吊下げる旗は塩化ビニール製の印刷フラッグが使用されており、外注すると約１旗１万円程度のコストが必要であり、平均的商店街の全街灯３０基では３０万程度必要です。（平成２７年現在）このため、殆どの商店街では１年中、同じデザインフラッグを吊下げている。この旗をシーズン・イベント毎に架け替えて、年間５回掲示可能にする為に、旗のコストを１／５以下に低減し、同時にワンタッチで、旗を街灯の旗棒に取付けを可能にすることを課題とします。
【課題を解決するための手段】
【０００６】従来では、旗には強度的に問題があるとされる店頭用「ノボリ（Ｄ）」の本体端面を三巻縫製にて補強した「ノボリ」を旗として使用しコストを従来の１／５以下にした。
この幟旗を街灯の旗バーの吊輪に直接チチを、カラビナ等で連結した場合には、風圧、摩擦等の力が繰り返しチチに集中して、ノボリとチチの縫製部分が破れ、裂ける事がある。
これには弾力性がある、吊輪と幟を連結するパイプ（Ａ）を制作して、ノボリと組み合わせた「パイプ付幟旗（図３）」として、カラビナ（Ｆ１、Ｆ２）で旗棒吊輪に連結することを考案して解決した。ノボリ本体にパイプを通すための５枚の「チチ」（Ｅ１−Ｅ５）の取付け位置も同様に各種試行して、強風時でも、チチとノボリにかかる風力を全体に分散させると同時に、左右にズレたりヨレたりせず、余計な追い加工が不要でコストアップもせずに、パイプがショックアブソーバーとして機能する最適なチチの配置位置を考案した。（図２）浜田山銀座商店街（東京杉並）の実証実験ではこのパイプとチチ配置形状により、地上５ｍの高さにおける２〜３か月の使用には、このパイプ付ノボリ旗は十分な耐久性があり何ら問題が無いことを実際に検証できた。（図４）
【考案の効果】
【０００７】同じ年間予算で旗揚げコストの１／５低減により、１年中同じデザインの旗から種々のシーズンキャンペーン・イベントに対応したオリジナルデザインのフラッグ（旗）を年５回以上、架け替えることが可能になり、１年を通して商店街に新鮮なはためきと賑わいを演出することができた。
ワンタッチで街灯に旗を取付けることが可能になり作業時間が短縮された。
また、数枚からのオリジナルデザインの旗も容易に印刷制作できるため、スポット的なミニイベントに応じた掲示が可能になり集客に寄与した。
従来のビニール旗では強風時に異音が発生するが、この旗では発生しない。
掲示終了後の旗は、薄いポリエステル布地製のため一般の燃える普通ごみとして処分できる。
【図面の簡単な説明】
【０００８】
【図１】  吊金具付パイプ（両端キャップ付、プラスティック製）
【図２】  ノボリ本体上辺のチチ配置縫付図（Φ２５ｍｍ程度のパイプを通す）
【図３】  パイプとノボリ本体の組立図
【図４】  街灯旗棒に本考案の旗を取付けた実物写真（部分）
【図５】  街灯側面図
【図６】  街灯正面図
【考案を実施するための形態】
【０００９】
【実施例】
【００１０】以下、添付図面に従って実施例を説明する。
（１）ノボリ本体（Ｄ）上辺「図２」に縫付けた５枚のチチ（Ｅ１〜Ｅ５）に連結パイプ（Ａ）を通しチチＥ１，Ｅ２及びＥ４，Ｅ５の隙間から吊金具（Ｂ１，Ｂ２）を取出。カラビナ（Ｆ１，Ｆ２）を取付け組立る。「図３」
（２）街灯旗バーの吊輪へカラビナを連結して旗を取付ける。
（３）ロープで旗の左辺にある２か所のチチを通して街灯にパイプ付幟旗を固定する。
（４）図４は実際にパイプ付幟旗を街灯旗バーへ取付けた部分の写真です。
（５）図５、図６は東京都、杉並区助成による次期ＬＥＤ街灯の完成予想図である。
【符号の説明】
【００１１】Ａ          連結用パイプ（強度抜群の耐候性がある軽量プラスティック製）
Ｂ１，Ｂ２  吊金具（パイプに強固に取付けており、カラビナを通して旗棒に連結する）
Ｃ１，Ｃ２  キャップ（パイプの強度を高める為に両端に被せます。）
Ｄ          強化ノボリ本体（ポリエステル生地、四方端面は三巻縫製でほつれ防止する            ）
Ｅ１−Ｅ５  チチとは３０ｍｍ巾の生地で、幟上辺に旗とパイプを連結する為にループ状            に幟上辺部５箇所に縫い付ける。左辺には２か所で合計７枚を縫付ける。
Ｆ１，Ｆ２  カラビナ（市販品）
【図１】
0003203520.tif 000003
【図２】
0003203520.tif 000004
【図３】
0003203520.tif 000005
【図４】
0003203520.tif 000006
【図５】
0003203520.tif 000007
【図６】
0003203520.tif 000008
【手続補正書】
【提出日】平成28年1月7日(2016.1.7)
【手続補正１】
【補正対象書類名】実用新案登録請求の範囲
【補正対象項目名】全文
【補正方法】変更
【補正の内容】
【実用新案登録請求の範囲】
【請求項１】
吊金具付パイプに、ノボリ本体の上辺に設けられたチチを通し、前記吊り金具にカラビナを取付けた構造を有し、前記カラビナを街灯に付属する旗棒の吊輪に吊下げ可能としたパイプ付幟旗。
(57)【要約】      （修正有）【課題】コンクリート内部全体に着色されている為、経年変化や摩擦などでコンクリート表面が削れても下地のコンクリートの色が出ず、加えて表面に着色オイルを流し陰影を出したセメント混練材構造体を提供する。【解決手段】施工面の上に鉄筋１を内包したセメント混練材層２、スタンプ層３、着色オイル層４、ボンド層５を順に積層する。セメント混練材層は、コンクリート又はモルタルであり、色粉又は顔料が添加される。【選択図】図２
0003203528.tif 000002
【実用新案登録請求の範囲】
【請求項１】
施工面の上に鉄筋を内包したセメント混練材層と、スタンプ層と、着色オイル層と、ボンドを順に積層したことを特徴とするセメント混練材構造体。
【請求項２】
前記セメント混練材層は、コンクリート又はモルタルのいずれか１種であることを特徴とする請求項１記載のセメント混練材構造体。
【請求項３】
前記セメント混練材層の混練材には色粉または顔料の１種以上を添加しことを特徴とする請求項１又は２のいずれかに記載のセメント混練材構造体。
【考案の詳細な説明】
【考案の詳細な説明】
【技術分野】
【０００１】  本考案は、コンクリート構造物等であるセメント混練材構造体に関するものである。
【背景技術】
【０００２】  生コンクリートに色粉を散布した凹凸のあるパネルでコンクリートパネルに色と模様つけた構造が提案されている。例えば、特許文献１に記載されている。【０００３】  このコンクリートパネルは自動車等の車両が走行する為十分な強度を有しなければならない。
【先行技術文献】
【０００４】
【特許文献】
【特許文献】特開２００６−２４９７３８
【考案の概要】
【考案が解決しようとする課題】
【０００５】  従来のコンクリートパネルは色のついた部分が表面のみとなる為、車両の走行または経年変化により表面の色のついた部分が削れることがある。その為コンクリート下地の色が見えてしまい、景観を損ねる結果となる。
【課題を解決するための手段】
【０００６】  本考案は請求項１に記載したとおり施工面の上に鉄筋を内包したセメント混練材層と、スタンプ層と、着色オイル層と、ボンドを順に積層したことを特徴とするセメント混練材構造体である。【０００７】  本考案は請求項２に記載したとおりセメント混練材層はコンクリート又はモルタルのいずれか１種であることを特徴とする請求項１または２のいずれかに記載のセメント混練材構造体である。
【考案の効果】
【０００９】  従来のコンクリートパネルは色のついた部分が表面のみとなる為、車両の走行または経年変化により表面の色のついた部分が削れる、その為、コンクリート下地の色が見えてしまい、景観を損ねる結果となる。今回提案のコンクリートパネルはコンクリート全体に色粉または顔料の１種以上が添加してあるため車両の走行または経年変化によって表面部分が削れてしまっても同じ色のついた部分がでてくるため景観を損ねることがない。また。表面凹凸に着色オイルが流れ込み色むらができて表面に陰影が付く。２色入れるとより実物の表現に近くなる。色むらを入れない施工もある。
【図面の簡単な説明】
【００１０】
【図１】本考案のセメント混練材層の断面図を示す
【考案を実施するための形態】
【００１１】  本考案について図１に基づいて説明する。
【実施例】
【００１２】  生コンクリート設計基準強度２１Ｎ、最大骨材径を２５ｍｍとしてセメント３２２ｋｇ水１７５ｋｇ細骨材７２０ｋｇ粗骨材１０３５ｋｇのものに類粒状の色粉を混練する。【００１４】  混練方法としては生コンクリートプラント工場もしくはコンクリートミキサー車、コンクリートミキサー機にて生コンクリートと色粉を混練する。【００１５】  生コンクリートの中にワイヤーメッシュもしくは鉄筋を入れる。【００１６】  前記セメント混練材の表面に、形材を押しつけることにより所望の模様を形成する形材押し付け工程を有することを特徴とするコンクリートの成型方法。【００１７】  セメント混練材層にボンドを塗布しコーティング層を形成するコーティング処理工程を有する成型方法。【００１８】  前記形材押し付け工程との間に、前記セメント混練材の表面および前記形材に離型剤を塗布する離型材塗布工程を有することを特徴とするコンクリートの成形方法。【００１９】  前記セメント混練材と前記型材押し付け工程との間に、オイル液体により着色された混合特殊モルタルの表面及び前記型材に離型材を塗布する離型材塗布工程を有することを特徴とするコンクリートの成形方法。これらの方法を順次行うことにより本考案のセメント混練材構造体を得ることができる。【００２０】  前記型材押し付け工程の後に表面に着色オイルを塗布することで、より表面に表情を出すことができる。【００２１】  土木業界において活用できる考案である。
【符号の説明】
【００２２】１  鉄筋層
２  コンクリート層
３  スタンプ層
４  着色オイル層
５  ボンド層
【図１】
0003203528.tif 000003
【図２】
0003203528.tif 000004
【手続補正書】
【提出日】平成28年2月8日(2016.2.8)
【手続補正２】
【補正対象書類名】明細書
【補正対象項目名】００１０
【補正方法】変更
【補正の内容】
【００１０】
【図１】本考案の鉄筋層、コンクリート層を示す断面図である。
【図２】本考案の鉄筋層、コンクリート層、スタンプ層、着色オイル層、ボンド層を示す断面図である。